(57)【要約】【課題】平面型表示装置において、ユーザの指示がない場合の制御と、ユーザの指示がある場合の制御とでオンスクリーン表示を回転表示できるようにすることを目的とする。【解決手段】表示装置の設置回転角度を検出する設置回転角度検出手段１０と、ユーザからのオンスクリーン表示領域の回転角度指示を入力する回転角度指示手段１１と、前記設置回転角度検出手段１０から出力される表示装置の設置回転角度検出情報と前記回転角度指示手段１１から入力されるユーザからのオンスクリーン表示領域の回転角度指示情報とをもとにオンスクリーン表示領域の回転角度を決定する回転角度決定手段１２と、前記回転角度決定手段１２にて決定された回転角度情報に基づきオンスクリーン表示領域の回転制御を行いオンスクリーン表示を出力する回転制御出力手段１３とを備えたものである。【選択図】図１
2005084360.tif 000002
【特許請求の範囲】
【請求項１】
表示装置の設置回転角度を検出する設置回転角度検出手段と、ユーザからのオンスクリーン表示領域の回転角度指示を入力する回転角度指示手段と、前記設置回転角度検出手段から出力される表示装置の設置回転角度検出情報と前記回転角度指示手段から入力されるユーザからのオンスクリーン表示領域の回転角度指示情報とをもとにオンスクリーン表示領域の回転角度を決定する回転角度決定手段と、前記回転角度決定手段にて決定された回転角度情報に基づきオンスクリーン表示領域の回転制御を行いオンスクリーン表示を出力する回転制御出力手段とを備えたことを特徴とする平面型表示装置。
【請求項２】
回転角度決定手段は、ユーザからの回転指示がない初期状態では、設置回転角度検出手段にて検出した表示装置の回転角度情報と逆方向の角度にて回転角度を決定するように構成したことを特徴とする請求項１に記載の平面型表示装置。
【請求項３】
回転角度決定手段は、ユーザからの回転角度指示情報がある場合は、設置回転角度検出手段にて検出した表示装置の回転角度情報と逆方向の回転角度に、さらにユーザから入力された回転角度情報を加算するように構成したことを特徴とする請求項１に記載の平面型表示装置。
【発明の詳細な説明】
【技術分野】
【０００１】
本発明は縦置き、横置きなどで回転設置した状態でオンスクリーン表示（以下、ＯＳＤという）を表示するプラズマディスプレイなどの平面型表示装置に関するものである。
【背景技術】
【０００２】
従来より、表示装置を設置した後、ＯＳＤを回転させて表示装置に表示する方法として、特許文献１に示すように種々の方法が考えられている。
【０００３】
図２は、従来の表示装置の一例を示すブロック図で、図２において、１は表示装置の設置回転角度を検出する設置回転角度検出手段、２は回転角度決定手段で、前記設置回転角度検出手段１からの情報に基づき、表示装置の設置回転角度と逆方向にＯＳＤを回転制御することにより、ＯＳＤが回転していない正規表示ができるようにＯＳＤの回転角度を決定するものである。３は前記回転角度決定手段２で決定されたＯＳＤの回転角度情報に従い、ＯＳＤの回転制御を行ってＯＳＤを出力する回転制御出力手段、４は前記回転制御出力手段３から出力されるＯＳＤを表示する表示手段である。
【特許文献１】特開２００１−１４２４４５号公報
【発明の開示】
【発明が解決しようとする課題】
【０００４】
しかしながら、上記従来の構成では表示装置を回転設置すると、必ず決まった角度にてＯＳＤが回転される。そのため、ＯＳＤを回転させたくない場合でもＯＳＤが回転してしまう、もしくはユーザが任意にＯＳＤの回転角度を指定することができないという問題を有していた。
【０００５】
本発明はこのような課題に鑑みなされたもので、ユーザの指示がない場合の制御と、ユーザの指示がある場合の制御とでＯＳＤを回転表示できるようにすることを目的とする。
【課題を解決するための手段】
【０００６】
上記課題を解決するために本発明は、表示装置の設置回転角度を検出する設置回転角度検出手段と、ユーザからのオンスクリーン表示領域の回転角度指示を入力する回転角度指示手段と、前記設置回転角度検出手段から出力される表示装置の設置回転角度検出情報と前記回転角度指示手段から入力されるユーザからのオンスクリーン表示領域の回転角度指示情報とをもとにオンスクリーン表示領域の回転角度を決定する回転角度決定手段と、前記回転角度決定手段にて決定された回転角度情報に基づきオンスクリーン表示領域の回転制御を行いオンスクリーン表示を出力する回転制御出力手段とを備えたものである。
【０００７】
また、前記回転角度決定手段は、ユーザからの回転指示がない初期状態では、設置回転角度検出手段にて検出した表示装置の回転角度情報と逆方向の角度にて回転角度を決定するように構成したものである。
【０００８】
また、回転角度決定手段は、ユーザからの回転角度指示情報がある場合は、設置回転角度検出手段にて検出した表示装置の回転角度情報と逆方向の回転角度に、さらにユーザから入力された回転角度情報を加算するように構成したものである。
【発明の効果】
【０００９】
上記構成により、ユーザのＯＳＤ回転制御指示がない場合の自動回転制御と、ユーザの指示がある場合のユーザの回転制御指示によりＯＳＤを回転表示することができる。
【発明を実施するための最良の形態】
【００１０】
以下、本発明の一実施の形態による平面型表示装置について、図１を用いて説明する。図１において、１０は表示装置の設置回転角度を検出する設置回転角度検出手段、１１はユーザからのＯＳＤ回転角のオフセット値を入力する回転角度指示手段、１２は回転角度決定手段で、前記設置回転角度検出手段１０からの情報に基づき、表示装置の設置回転角度と逆方向にＯＳＤを回転制御することにより表示装置が回転設置後もＯＳＤが回転していない正規表示ができるようにＯＳＤの回転角度を決定する。また、この回転角度決定手段１２では、前記回転角度指示手段１１から入力されるユーザからのＯＳＤ回転オフセット値の支持がある場合は、前記設置回転角度検出手段１０からの表示装置の回転角度より決定された自動回転角度に対し、回転角度指示手段１１で指示されたユーザからのＯＳＤ回転角度のオフセット値を加算し、ＯＳＤの回転角度を決定する。
【００１１】
１３は前記回転角度決定手段１２にて決定されたＯＳＤの回転角度情報に従い、ＯＳＤの回転制御を行ってＯＳＤを出力する回転制御出力手段、１４は前記回転制御出力手段１３から出力されるＯＳＤを表示する表示手段である。
【００１２】
以上のような構成の表示装置について、その動作を説明する。
【００１３】
まず、表示装置が回転設置されると、設置回転角度検出手段１０は表示装置の設置回転角度を検出し、検出した回転角度情報を回転角度決定手段１２に入力する。回転角度決定手段１２は、回転角度指示手段１１から入力されるユーザからのＯＳＤ回転オフセット値の支持がない場合は、前記設置回転角度検出手段１０からの情報に基づき、表示装置の設置回転角度と逆方向にＯＳＤの回転角度を決定し、表示装置を回転設置した後も、ＯＳＤが回転していない正規表示ができるようにする。
【００１４】
一方、前記回転角度指示手段１１から入力されるユーザからのＯＳＤ回転オフセット値の指示がある場合は、前記設置回転角度検出手段１０からの情報に基づき、表示装置の設置回転角度と逆方向のＯＳＤの回転角度に対して、さらにユーザから指示されたＯＳＤ回転オフセット値を加算し、ＯＳＤの回転角度を決定する。
【００１５】
回転制御出力手段１３では、前記回転角度決定手段１２にて決定されたＯＳＤの回転角度情報に従い、ＯＳＤの回転制御を行い、ＯＳＤを出力し、表示されることとなる。
【００１６】
以上のように本実施の形態によれば、ユーザのＯＳＤ回転のオフセット指示がない場合の自動回転制御と、ユーザのＯＳＤ回転のオフセット指示がある場合は、ＯＳＤの自動回転角度にユーザのＯＳＤ回転オフセット値を加算してＯＳＤを回転表示することができる。
【００１７】
ここで、回転角度決定手段１２は、ユーザからのＯＳＤ回転指示がないデフォルト状態では、設置回転角度検出手段にて検出した表示装置の回転角度情報と逆方向の角度にてＯＳＤ回転角度決定をするように構成することにより、ユーザからのＯＳＤ回転制御指示がない場合は、表示装置の回転設置後も、ＯＳＤが回転しない正規表示にてＯＳＤ表示装置に表示することができる。また、回転角度決定手段１２は、ユーザからのＯＳＤ回転角度指示情報がある場合は、設置回転角度検出手段にて検出した表示装置の回転角度情報と逆方向の回転角度に、さらにユーザから入力された回転角度情報を加算するように構成することにより、ユーザのＯＳＤ回転制御指示がある場合は、ユーザのＯＳＤ回転指示がない場合に決定するＯＳＤの自動回転角度、つまり正規のＯＳＤ回転角度を基準にユーザオフセット値を加算するため、ユーザが正規のＯＳＤ回転角度に対して、オフセット値分ＯＳＤ回転角度を指示し変更することができる。
【産業上の利用可能性】
【００１８】
以上のように本発明によれば、プラズマディスプレイなどの平面型表示装置において、ユーザの指示がない場合の制御と、ユーザの指示がある場合の制御とでＯＳＤを回転表示できるようにすることができる。
【図面の簡単な説明】
【００１９】
【図１】本発明の一実施の形態における平面型表示装置のブロック図
【図２】従来の表示装置のブロック図
【符号の説明】
【００２０】
１０  設置回転角度検出手段
１１  回転角度指示手段
１２  回転角度決定手段
１３  回転制御出力手段
１４  表示手段
【図１】
2005084360.tif 000003
【図２】
2005084360.tif 000004